(57)【要約】【課題】たくさんの釣り用糸巻きを用意しなくても多種類の釣糸等を絡まないように保管、持ち運びすることができ、しかも釣道具箱の中でばらばらにならず、収納スペースを節約できる釣り用糸巻きを得る。【解決手段】釣り用糸巻き１００を、釣糸等を巻き付けるための環状巻胴部１１，２１，３１とこの環状巻胴部１１，２１，３１の外径面の両側縁に設けられたフランジ部１２，２２，３２とを備えた、外径の異なる複数のスプール１０，２０，３０から構成され、これらのスプール１０，２０，３０は、大径のスプールの環内に、上記大径のスプールよりも小径のスプールが着脱自在に嵌合された構成とした。【選択図】図３
2005073597.tif 000002
【特許請求の範囲】
【請求項１】
釣糸等を巻き付けるための環状巻胴部とこの環状巻胴部の外径面の両側縁に設けられたフランジ部とを備えた、外径の異なる複数のスプールからなり、これらのスプールは、大径のスプールの環内に、上記大径のスプールよりも小径のスプールが着脱自在に嵌合された釣り用糸巻き。
【請求項２】
上記スプールの一方の側面に係合凸部が、この係合凸部と係合する係合凹部が他方の側面に設けられ、複数の釣り用糸巻きを側面同士で着脱自在に結合できることを特徴とする請求項１に記載の釣り用糸巻き。
【発明の詳細な説明】
【技術分野】
【０００１】
この発明は、釣り用糸巻きに関する。
【背景技術】
【０００２】
魚釣に際しては、予め釣り場の状況を予想して自宅で作成した複数の釣仕掛けや、釣り場の状況に応じて現場で釣仕掛けを作成できるように、様々な号数の釣糸を釣道具箱に収納して釣り場へ持っていく必要がある。
【０００３】
従来から、釣糸や釣仕掛けが絡まないように保管、持ち運びするため、釣り用糸巻きが用いられている。例えば、円形巻胴部とこの円形巻胴部の外径面の両側縁に設けられたフランジ部とを備え、このフランジ部に、釣糸や釣針を係止するための切込みが設けられた釣り用糸巻きがある。
【０００４】
この釣り用糸巻きは、円形巻胴部に釣糸等を巻き取り、釣糸の端部や釣針をフランジ部に設けられた切込みに係止することにより、一つの釣り用糸巻きに一種類の釣糸や釣仕掛けを巻き取るので、釣糸や釣仕掛けが絡まることなく保管、持ち運びできるものである。
【発明の開示】
【発明が解決しようとする課題】
【０００５】
しかしながら、釣り場に多種類の釣糸や釣仕掛けを持っていく場合、上記の釣り用糸巻きでは、一つに対し一種類の釣糸等しか巻き取ることができないので、たくさんの釣り用糸巻きを用意する必要がある。また、釣り場で釣仕掛けを作成する場合に備えて予備の釣り用糸巻きを用意する必要もある。このため、釣道具箱の中では、たくさんの釣り用糸巻きが、ばらばらに溢れてしまい、収納スペースを取るという問題があった。
【０００６】
そこで、この発明の課題は、たくさんの釣り用糸巻きを用意しなくても多種類の釣糸等を絡まないように保管、持ち運びすることができ、しかも釣道具箱の中でばらばらにならず、収納スペースを節約できる釣り用糸巻きを得ることにある。
【課題を解決するための手段】
【０００７】
上記の課題を解決するため、この発明は、釣糸等を巻き付けるための環状巻胴部とこの環状巻胴部の外径面の両側縁に設けられたフランジ部とを備えた、外径の異なる複数のスプールから構成され、これらのスプールは、大径のスプールの環内に、上記大径のスプールよりも小径のスプールが着脱自在に嵌合された釣り用糸巻きとしたのである。
【０００８】
上記の構成によれば、釣り用糸巻きは、スプール毎に釣糸等を巻き取ることによって、一つの釣り用糸巻きで、複数の釣糸等を絡まないように保管・持ち運びできるので、たくさんの釣り用糸巻きを用意する必要がなくなる。また、上記の構成の釣り用糸巻きは、各スプールが着脱自在に嵌合されているので、釣糸等を使用する時には、各スプールの嵌合を外して釣糸等を取り出し、保管・持ち運び時には、各スプールを嵌合して一体化することができる。
【発明の効果】
【０００９】
以上に述べたように、この発明の釣り用糸巻きは、複数のスプールから構成されるので、たくさんの釣り用糸巻きを用意しなくても多種類の釣糸等を絡まないように保管、持ち運びすることができ、しかも、各スプールが一体となるので、釣道具箱の中でばらばらにならず、収納スペースを節約できる。
【発明を実施するための最良の形態】
【００１０】
この発明の最良の実施形態を図面に基づき説明する。図１は、この発明を実施するための最良の形態の釣り用糸巻きを分解した状態で示し、図２は、図１の釣り用糸巻きの一部を破断表示した正面図であり、図３は、図２のＡ−Ａ断面の矢視図である。図１において、１００は、外径の異なるスプール１０，２０，３０から構成された釣り用糸巻きである。図１、図２に示すように、各スプール１０，２０，３０は、釣糸等を巻き付けるための環状巻胴部１１，２１，３１と、この環状巻胴部１１，２１，３１の外径面の両側縁に設けられたフランジ部１２，２２，３２とを備える。
【００１１】
各スプール１０，２０，３０は、互いに相似形であり、これらのスプール１０，２０，３０からなる釣り用糸巻き１００は、それぞれ同心上において、スプール３０の環内にスプール２０、さらにスプール２０の環内にスプール１０が着脱自在に嵌合された構成を有する。各スプール１０，２０，３０は、例えば、弾性透明樹脂製とする。
【００１２】
スプール１０には、円環状の環状巻胴部１１を用いている。この環状巻胴部１１には、巻きつけた釣糸等に癖がつかないように、楕円環状など、角部のない環状体を用いることが望ましい。
【００１３】
図２に示すように、環状巻胴部１１の外径面には、凹部１５が形成され、この凹部１５には軟質ゴム１５ａが嵌められており、釣仕掛けを環状巻胴部１１に巻きつける際に釣針を軟質ゴムに差し込めるようになっている。また、環状巻胴部１１の外径面の両側縁には、全周に釣糸等を案内するフランジ部１２が設けられている。一方のフランジ部１２には、釣糸を係止できるように、一定間隔で２条の切込み１２ａが径方向に形成されている。他方のフランジ部１２には、フランジ外縁の全周に渡って、スプール１０とスプール２０とを着脱自在に嵌合するための切り欠き段部１３が形成されている。
【００１４】
一方、図３に示すように、スプール２０の内径面の一方の側縁には、切り欠き段部１３と嵌合する嵌合フランジ２４が全周に渡って設けられている。この嵌合フランジ２４の内径は、切り欠き段部１３の外径Ｄ１よりも僅かに狭くなっている。また、スプール２０の内径面にはテーパが設けられており、嵌合フランジ２４と反対側の側縁の内径は、スプール１０の外径Ｄ２と一致するが、嵌合フランジ２４の付根の内径はスプール１０の外径Ｄ２よりも僅かに狭くなっている。
【００１５】
この構成では、スプール１０を、切り欠き段部１３をスプール２０に向けてスプール２０の環状巻胴部２１の環内に嵌め込み、指で押し込むと、嵌合フランジ２４付近がスプール１０のフランジ部１２に押し広げられて拡径され、やがて切り欠き段部１３と嵌合フランジ２４が完全に嵌合すると、弾性回復力により、スプール１０とスプール２０は締り嵌め状態になる。また、スプール１０を嵌合フランジ２４側から押出すと、スプール１０がスプール２０から外れる。
【００１６】
スプール２０とスプール３０は、上記スプール１０とスプール２０と同様の構成関係にあり、スプール２０のフランジ部２２には切り欠き段部２３が、スプール３０の内径面には嵌合フランジ３４が設けられている。また、スプール１０の内径面には嵌合フランジ１４が、スプール３０のフランジ部３２には切り欠き段部３３が設けられている。このように各スプールに切り欠き段部と嵌合フランジを設けると、釣り用糸巻き１００は、構成するスプール数を使用者の必要に応じて任意に変更できるようになる。無論、釣り用糸巻き１００を構成するスプール数を３つに限定する場合には、スプール１０の嵌合フランジ１４と、スプール３０の切り欠き段部３３を形成する必要はない。
【００１７】
さらに、図３、図４に示すように、釣り用糸巻き１００には、各スプール１０，２０，３０の一方の側面に係合凸部４１が、この係合凸部４１と係合する係合凹部４２が他方の側面に設けられており、複数の釣り用糸巻き１００を側面同士で着脱自在に結合できるように構成されている。このように構成すると、釣り用糸巻き１００は、複数個を一まとめにできるようになるので、さらに持ち運びや収納が容易となる。また、この構成においては、係合凸部４１と係合凹部４２を、各スプール１０，２０，３０に形成することが望ましい。これにより、釣り用糸巻き１００は、構成するスプール数を変更しても安定した結合を得られるものになる。
【００１８】
また、釣り用糸巻き１００は、環状巻胴部１１，２１，３１の内周を楕円形にすると、特定の方向のみで各スプール１０，２０，３０が嵌合するようになるので、係合凸部４１、係合凹部４２の向きが揃った状態となり、複数の釣り用糸巻き１００を容易に結合できるものとなる。
【図面の簡単な説明】
【００１９】
【図１】この発明を実施するための最良の形態の釣り用糸巻きを示した分解図である。
【図２】図１の釣り用糸巻きの一部を破断表示した正面図である。
【図３】図２のＡ−Ａ断面の矢視図である。
【図４】図１の釣り用糸巻きを側面同士で結合した状態を一部破断表示した図である。
【符号の説明】
【００２０】
１０，２０，３０  スプール
１１，２１，３１  環状巻胴部
１２，２２，３２  フランジ部
１３，２３，３３  切欠き段部
１４，２４，３４  嵌合フランジ
４１  係合凸部
４２  係合凹部
１００  釣り用糸巻き
【図１】
2005073597.tif 000003
【図２】
2005073597.tif 000004
【図３】
2005073597.tif 000005
【図４】
2005073597.tif 000006